(57)【要約】【課題】記録再生装置の電源投入後、安定した映像を出画することができなかった。【解決手段】装置の電源投入後、コーデック回路１０６や記録制御部１１１の初期化を行うとともに、クランプ回路１０３およびＡＧＣ回路１０４を即座に起動することにより、Ａ／Ｄ変換回路１０５の入力を安定させることができる。またクランプ回路１０３とＡＧＣ回路１０４の動作が不安定な期間はミュート回路１０９により出力を禁止することで不安定な映像出力を防止することができる。【選択図】図１
2006237933.tif 000002
【特許請求の範囲】
【請求項１】
映像信号を入力する入力手段と、
前記入力部から入力された映像信号の信号レベルを補正するクランプ手段と、
前記クランプ手段の出力信号の振幅を調整するアンプ手段と
前記アンプ手段の出力をＡ／Ｄ変換するＡ／Ｄ変換手段と、
前記Ａ／Ｄ変換手段の出力を符号化処理する符号化手段と、
前記符号化手段の出力をＤ／Ａ変換するＤ／Ａ変換手段と、
前記Ｄ／Ａ変換手段の出力を一時的に保持するバッファ手段と、
前記バッファ手段の出力を制御するミュート手段とを備え、
前記ミュート手段は、前記クランプ手段および／またはアンプ手段の出力に基づき前記バッファ手段の出力を制御する映像記録再生装置。
【請求項２】
装置の電源が投入されたとき、前記クランプ手段と前記アンプ手段を優先的に安定動作させる制御部をさらに備えた請求項１記載の映像記録再生装置。
【請求項３】
前記ミュート手段は、前記クランプ手段および前記アンプ手段が安定動作しているか否かを検出し、動作が安定しているとき前記バッファ手段の出力を許可し、動作が不安定なとき前記バッファ手段の出力を禁止する請求項１記載の映像記録再生装置。
【請求項４】
前記ミュート手段は、前記アンプ手段の出力が所定の範囲内にあるとき前記バッファ手段の出力を許可し、所定の範囲内にないとき前記バッファ手段の出力を禁止する請求項１記載の映像記録再生装置。
【請求項５】
前記ミュート手段は、入力信号のバースト信号がロックされたとき前記バッファ手段の出力を許可し、ロックされていないとき前記バッファ手段の出力を禁止する請求項１記載の映像記録再生装置。
【発明の詳細な説明】
【技術分野】
【０００１】
本発明は、映像を記録再生する装置に関するものである。
【背景技術】
【０００２】
従来、チューナや外部入力端子等から入力されたテレビジョン信号等の映像信号を記録する際には、入力された映像信号をＡ／Ｄ変換して圧縮処理等の符号化処理を行った後、光ディスク等に記録するのが一般的である。ここで入力信号のレベルや振幅にばらつきがあると、映像信号の振幅の大きさやクランプ電位が不安定な状態でＡ／Ｄ変換することとなるため、出力映像に色がつかない場合や、映像全体が暗くなったり明るくなったりする場合がある。このような入力信号のばらつきを抑えるために、ＡＧＣ（Ａｕｔｏｍａｔｉｃ  Ｇａｉｎ  Ｃｏｎｔｒｏｌ  自動利得制御）回路等を備えて、入力信号のレベルを一定に保つようにしている（例えば特許文献１参照）。
【特許文献１】特開平８−２７９９７０号公報
【発明の開示】
【発明が解決しようとする課題】
【０００３】
しかしながら従来の記録再生装置では、記録再生装置の電源投入後、ＡＧＣ回路が安定して動作するまでは、入力信号レベルのばらつきを抑えることができず、不安定な映像出力が続いてしまうという課題があった。
【課題を解決するための手段】
【０００４】
上記課題を解決するため、本発明は、映像信号を入力する入力手段と、入力部から入力された映像信号の信号レベルを補正するクランプ手段と、クランプ手段の出力信号の振幅を調整するアンプ手段と、アンプ手段の出力をＡ／Ｄ変換するＡ／Ｄ変換手段と、Ａ／Ｄ変換手段の出力を符号化処理する符号化手段と、符号化手段の出力をＤ／Ａ変換するＤ／Ａ変換手段と、Ｄ／Ａ変換手段の出力を一時的に保持するバッファ手段と、バッファ手段の出力を制御するミュート手段とを備え、ミュート手段は、クランプ手段および／またはアンプ手段の出力に基づきバッファ手段の出力を制御する。
【０００５】
また装置の電源が投入されたとき、クランプ手段とアンプ手段を優先的に安定動作させる制御部をさらに備えている。
【発明の効果】
【０００６】
本発明の記録再生装置においては、電源投入後、高速にＡＧＣ回路を安定させることができるので、不安定な映像が出力される期間を短くすることができる。またＡＧＣ回路やクランプ回路の動作が安定してから映像出力を行うので、不安定な映像出力を抑えることができる。
【発明を実施するための最良の形態】
【０００７】
（実施の形態）
本発明の実施の形態について、図面を参照しながら説明する。図１は本実施の形態における映像記録再生装置のブロック図である。図１において１００はテレビジョン信号を受信するチューナ、１０１はライン入力等の外部入力端子、１０２はチューナ１００からの信号と外部入力端子１０１からの信号とを切替えるスイッチ、１０３は映像信号のレベルを調整するクランプ回路、１０４は映像信号の振幅を調整する調整用アンプであるＡＧＣ回路、１０５はＡ／Ｄ変換回路、１０６は映像信号に対して圧縮伸張処理等を行うための符号化回路であるＭＰＥＧ２コーデック回路、１０７はＤ／Ａ変換回路、１０８は映像信号を一時的に格納するバッファ回路、１０９はバッファ回路に対して出力可否の指示を行うミュート回路、１１０は映像信号出力端子、１１１は記録メディアである光ディスク等の記録を制御する記録制御部である。
【０００８】
上記のように構成された映像記録再生装置の動作について説明する。
【０００９】
チューナ１００または外部入力端子１０１からテレビジョン信号等の映像信号が入力されると、スイッチ１０２においていずれかの入力信号が選択され、クランプ回路１０３に送られる。クランプ回路１０３では、Ａ／Ｄ変換回路１０５でＡ／Ｄ変換された信号レベルがＭＰＥＧ２コーデック回路１０６からフィードバックされ、同期信号のレベルが調整される。またＡＧＣ回路１０４では、Ａ／Ｄ変換回路１０５でＡ／Ｄ変換された信号レベルがＭＰＥＧ２コーデック回路１０６からフィードバックされ、信号の振幅レベルが調整される。この様子を図２を用いて説明する。
【００１０】
図２はクランプ回路１０３およびＡＧＣ回路１０４による入力信号の変化を模式的に示した図であり、（ａ）は入力映像信号、（ｂ）はクランプ回路１０３の出力信号、（ｃ）はＡＧＣ回路１０４の出力信号を示している。またＶ０は基準電圧レベルを示しており、例えば０Ｖ等である。Ｖ１およびＶ２はＡ／Ｄ変換回路１０５の間口、すなわちＶ１はＡ／Ｄ変換回路における入力値の最小レベルを示しており、Ｖ２は最大レベルを示している。典型的には、例えばＶ１は０．５Ｖ、Ｖ２は１．５Ｖ等の値をとる。
【００１１】
クランプ回路１０３は、図２（ａ）の入力信号に対して、最小レベルをＶ１とするように変換を行う。例えば図２（ａ）における同期信号を検出し、そのレベルをＶ１とするように信号全体を変換する。次にＡＧＣ回路１０４は、図２（ｂ）の振幅をＶ１〜Ｖ２の範囲に収めるように変換を行う。例えば図２（ｂ）における信号レベルの最大値を検出し、信号全体に対して最大レベルがＶ２以下に収まるように変換を行う。これにより入力された映像信号が所望の電圧範囲内の信号に変換されることになる。
【００１２】
このように、クランプ回路１０３およびＡＧＣ回路１０４においてレベルが最適化された信号がＡ／Ｄ変換回路１０５に入力される。そしてＡ／Ｄ変換後のディジタル信号がＭＰＥＧ２コーデック回路１０６に入力され、ＭＰＥＧ２による圧縮処理が施された後、記録制御部１１１を介して光ディスク等の記録媒体（図示せず）に記録される。
【００１３】
一方、入力した映像信号を、記録媒体に記録するとともにモニタ等に表示する場合には、ＭＰＥＧコーデック回路１０６の出力がＤ／Ａ変換回路１０７においてＤ／Ａ変換され、バッファ回路１０８でバッファリングされた後、出力端子１１０から出力される。ここでＤ／Ａ変換回路１０６は、ＭＰＥＧ２コーデック回路１０６からの出力をＤ／Ａ変換することとしているが、記録と表示を同時に行なう場合には、Ａ／Ｄ変換回路１０５から入力された信号をそのままＤ／Ａ変換回路１０７においてＤ／Ａ変換する構成としても良い。
【００１４】
次に記録再生装置の電源をオンにしたときの動作について説明する。記録再生装置の電源がオンになると、チューナ１００や各回路に電源が供給され、それぞれの回路が起動状態となる。ここで記録制御部１１１は電源投入後の初期化処理に時間がかかり、安定的な動作状態となるまでに、一定時間（例えば数十秒）を要する。そうすると、装置全体が安定動作となるまでの間は入力された映像信号を出力することができないこととなる。
【００１５】
そこでＭＰＥＧ２コーデック回路１０６と記録制御部１１１の間にバッファ手段（図示せず）を設けることで、制御部が安定的に動作するまでの期間においても入力信号を記録、出力することが可能となる。すなわち、光ディスク等の制御部が安定動作するまでの間はバッファ手段（図示せず）に一時的にデータを格納しておき、光ディスク等の制御部が安定動作した後、そのバッファ手段からデータを読み出して光ディスクに記録すればよい。
【００１６】
あるいは、ＭＰＥＧ２コーデック回路の起動にも時間がかかる場合には、Ａ／Ｄ変換回路１０５の後にバッファ手段（図示せず）を設けても良い。この場合もＭＰＥＧ２コーデック回路１０６が安定的に動作するまでは、Ａ／Ｄ変換後のデータをバッファ手段に格納しておき、ＭＰＥＧ２コーデック回路１０６が安定動作となってからそのバッファ手段に格納されたデータを処理するようにすればよい。
【００１７】
このように、電源の投入後、光ディスク等の制御部が安定動作を行うまでの間においても入力映像信号の記録再生を行えるような構成にすると、電源投入後に入力された映像信号を即座にＡ／Ｄ変換回路１０５にてＡ／Ｄ変換処理する必要がある。すなわち、電源投入後、クランプ回路１０３およびＡＧＣ回路１０４の安定動作に時間がかかるようであれば不安定な映像が記録、出画されることになる。
【００１８】
そこで装置の電源が投入された後、クランプ回路１０３およびＡＧＣ回路１０４に対する電源供給を即座に行うことで、できるだけ早い期間に安定動作をさせることとする。この場合、電源投入後にクランプ回路１０３およびＡＧＣ回路１０４を優先的に起動するための制御部を設けてもよいし、あるいは装置のオフ時にもクランプ回路１０３、ＡＧＣ回路１０４に常に一定の電源を供給しておき、装置の電源がオンされたとき、瞬時に安定動作を行う構成としても良い。
【００１９】
このように、クランプ回路１０３およびＡＧＣ回路１０４を装置の電源投入後即座に安定動作を行うようにすることで、入力された映像信号を安定してＡ／Ｄ変換することができ、記録される映像あるいは出画される映像は乱れることなく安定した映像となる。
【００２０】
クランプ回路１０３およびＡＧＣ回路１０４の起動時間と出画までに要する時間の関係を図３に示す。図３（ａ）は、電源投入後、記録制御部１１１やＭＰＥＧ２コーデック回路１０６の起動を優先させ、クランプ回路１０３およびＡＧＣ回路１０４を即座に起動しない場合の例を示している。この場合は装置の起動処理にしばらく時間を要した後、クランプ回路１０３およびＡＧＣ回路１０４が起動し、その動作が安定した後に安定した映像が出画されることになる。
【００２１】
図３（ｂ）は電源投入と同時にクランプ回路１０３およびＡＧＣ回路１０４を即座に起動する場合の例を示している。この場合は装置の初期化に要する時間は加算されず、それぞれの回路が安定動作に入るための時間が経過した後、安定した映像を出画することができる。
【００２２】
図３（ｃ）は装置の電源がオフの状態でも一定の電源をクランプ回路１０３等に供給していた場合の例を示している。この場合、クランプ回路１０３およびＡＧＣ回路１０４の起動に要する時間が短縮され、きわめて高速に安定映像を出画することが可能となる。なお、電源オフ時にも電源オン時と同等の電源を供給していた場合には、ここでいう起動時間はきわめて０に近い値となる。
【００２３】
次にミュート回路１０９では、バッファ１０８に格納された映像信号の出力制御がおこなわれる。クランプ回路１０３およびＡＧＣ回路１０４を高速に動作させることとしても、やはり安定動作に至るまでには多少の遅延が生じる場合がある。そしてこの間に入力された映像信号のレベルにばらつきが生じていた場合には、出力映像に乱れを生じる可能性がある。そこで、ミュート回路１０９は、クランプ回路１０３およびＡＧＣ回路１０４の動作を監視し、それぞれの回路が安定動作をするまではバッファ回路１０８の出力を禁止するよう指示する。そしてそれぞれの回路が安定動作となった後、バッファ回路１０８からの出力を許可するよう指示する。これにより、クランプ回路１０３およびＡＧＣ回路１０４が安定動作となった後の映像が出力されるため、不安定な乱れた映像が出力されることを防止できるとともに、安定した映像を出力する準備が整った時点で即座に映像出力を行うことができる。
【００２４】
なお、ミュート回路１０９では、クランプ回路１０３およびＡＧＣ回路１０４の動作を監視するとしたが、動作状態を検出できる手段であればどのような手段でも実現できる。例えばそれぞれの出力信号の電圧等を検出することにより、安定動作状態にあるか否かを判別することも可能であるし、それぞれの回路において、自身の動作状態を外部に通知する手段を備えていればその信号を検出することで動作状態を判別することもできる。
【００２５】
また、ＡＰＣエラーのレジスタ値等を参照し、入力信号のバースト信号をロックしたときの情報を検出するとしても良い。バーストロックされれば映像は安定して出力されると考えられるからである。
【００２６】
また標準信号（同期信号等）が検出できた時点でそれぞれの動作状態を判別することとしても良い。同期信号が検出できていれば、映像は安定して出力されると考えられるからである。
【００２７】
また、クランプ回路１０３およびＡＧＣ回路１０４の安定動作に至るまでの時間があらかじめわかっているようであれば、装置の電源投入後、所定時間経過するまではバッファ回路１０８の出力を禁止し、所定時間経過後にバッファ回路１０８の出力を有効にしてもよい。
【００２８】
またミュート回路１０９はバッファ回路１０８に対して指示を送る構成としたが、バッファ回路１０８の後段に設けてバッファ回路１０８からの出力を制御しても本発明を実現することができる。
【００２９】
また、クランプ回路１０３およびＡＧＣ回路１０４を高速に安定動作させることにより、電源投入直後から安定した映像を出画できるとして説明を行ったが、例えば映像信号の垂直ブランキング期間（ＶＢＩ）に、著作権情報や文字放送やデータ放送等のデータやコピー制御情報等が重畳されていた場合には、これらの情報を電源投入後即座に抽出することができ、映像の記録再生に適用することが可能となる。
【産業上の利用可能性】
【００３０】
本発明によると、装置の電源投入後すぐに安定した映像を記録、出力することができるので、映像を記録するとともに外部のモニタ等に出画を行う記録再生装置等において有用である。
【図面の簡単な説明】
【００３１】
【図１】映像記録再生装置のブロック図
【図２】入力映像信号の模式図
【図３】回路の起動時間と出画時間との関係を説明する図
【符号の説明】
【００３２】
１００    チューナ
１０１    外部入力端子
１０２    スイッチ
１０３    クランプ回路
１０４    ＡＧＣ回路
１０５    Ａ／Ｄ変換回路
１０６    ＭＰＥＧ２コーデック回路
１０７    Ｄ／Ａ変換回路
１０８    バッファ回路
１０９    ミュート回路
１１０    外部出力端子
１１１    記録制御部
【図１】
2006237933.tif 000003
【図２】
2006237933.tif 000004
【図３】
2006237933.tif 000005